(57)【特許請求の範囲】
【請求項１】
腹側シート部と背側シート部とを内側に対向的に湾曲した股側シート部で連続させた略砂時計形状の展開おむつ形状を有し腹側シート部と背側シート部との対向する側縁部同士を熱融着手段により互いに固着して、該おむつの縦中心線の左右両側に等間隔に外面に突出するシールラインを形成し、上端に胴部開口と左右にそれぞれ腿部開口を形成した完全パンツ型おむつにおいて、腹側シート部及び背側シート部を同一の材料構成とし、これらの対向する側縁部同士を互いに固着することにより形成される外面に突出するシールラインを腹側の左右の腸骨の内側に設けたことを特徴とするシールラインを前方に有する成人、老人用完全パンツ型おむつ。
【請求項２】
シールラインをおむつの腹側の縦中心線の両側のそれぞれ１０cm以内で股側シート部より外側に設ける請求項１記載の完全パンツ型おむつ。
【発明の詳細な説明】
【０００１】
【発明の属する技術分野】
本発明は完全パンツ型おむつに関し、特にシールラインを前方、即ち腹部側に有するものである。
【０００２】
【従来の技術及び発明が解決しようとする課題】
完全パンツ型おむつは、外表面は液不透過性シートで覆われ、内表面は液透過性シートで覆われ、それらの間に吸収体を挟んだ構成である。そしてその形状は図３に示すように通常の下着のパンツ形状と同様、上端に胴部開口（８）を有し、左右の下部に両脚の腿部開口（９）（10）を有するもので、さらに股側シート部（４）に吸収体（１）が位置し、ウエスト部の両脇に該おむつの製造過程で必然的に形成されるシールライン（７）（７´)を有するものである。
【０００３】
このシールラインは、図４に示すように長手方向の中央部がくびれて長手方向の前後形状がほぼ対称形状の展開おむつ素材を完全パンツ型おむつに作る際に、着用するときに前側となる腹側シート部（２）と同じく後側となる背側シート部（３）との対向する側縁部同士（（５）と（６）、（５´)と（６´)）を互いにヒートシール等で固着したときに生ずる固着状態の直線状の部分であって、構成材料である液透過性シートと液不透過性シートとが熱や接着剤などで固まった状態である。
【０００４】
このような完全パンツ型おむつは、赤ちゃんはもとより事故や病気などで寝たきりとなった成人、及び体の衰えた老人等も着用している。しかしながら特に寝たきりとなっている成人や老人等は自力で寝返りがうてない状態であるため、介護者がときどき体の向きを変えている。即ち仰向けと左右の横向きを繰り返しているが、特に長時間横向きのままであると上記完全パンツ型おむつの着用者にとっては該おむつのサイドシールが肌に押し付けられて不快であり、さらに蓐瘡の発生原因となる懸念もあった。
【０００５】
また完全パンツ型おむつを着用者から脱がす際には、そのまま足先に向かって引き下げる場合とシールラインに沿って介護者が手で破断し平面的に展開して外す場合がある。そして寝たままの状態での着用者の排泄物はシールラインにまで達することもあり、介護者によるシールラインに沿った破断は衛生的とはいえなかった。
【０００６】
【課題を解決するための手段】
本発明はこのような従来の完全パンツ型おむつの欠点を改良して、着用者に不快感を与えない構成を提供するものである。
【０００７】
即ち本発明の完全パンツ型おむつは、腹側シート部と背側シート部とを股側シート部で連続し、腹側シート部と背側シート部との対向する側縁部同士を互いに固着して、上端に胴部開口と左右にそれぞれ腿部開口を形成した完全パンツ型おむつにおいて、腹側シート部及び背側シート部を同一の材料構成とし、これらの対向する側縁部同士を互いに固着することにより形成されるシールラインを腹側の左右の腸骨の内側に設けたことを特徴とするものであり、この際該おむつの縦中心線の両側にそれぞれ１０cm以内で設けるのがよい。
【０００８】
このようにシールラインを人体の左右の腸骨の内側、即ち人体の腰位置の腹側の左右に突起した骨の内側に設けることにより、たとえ寝たきりの人でも体の向きを横向きに長時間おかれても、固いシールラインは体に押し付けられないので快適に過ごせる。
そして本発明のようにシールラインが腹側にあると、背側シート部の面積がより広くなるので着用者の尻部を大きく包み込む構造となり、寝たままの状態でも排泄物がシールラインまで達することがより少くなり介護者にとって衛生的である。さらにおむつを外す際に、シールラインで破断しておむつを展開した後背側シートが広いので排泄物を包み込み易く手早く処理ができ、周囲への排泄物の臭いの拡散を防いでより衛生的な処理が可能となる。
また着用中のおむつをシールラインで破断する際に、本発明のおむつでは該シールラインは通常上面側に現われるので、着用者及び介護者にとって手が掛け易く作業性が良い。
さらに本発明のおむつによれば、外観上一目で前後の区別ができ、前後の履き間違いがより少くなる。
【０００９】
なお大人や老人用の完全パンツ型おむつに対してこのシールラインは、当該おむつの縦中心線の両側にそれぞれ１０cm以内、好ましくは８cm以内とするのがよい。
【００１０】
【実施例】
図１に示すように、液不透過性シートと液透過性シートとの間に略矩形の吸収体（１）を挟んで固定し、長手方向の一端部の腹側シート部（２）と、該腹側シート部（２）より横方向に長い背側シート部（３）とを、内側に対向的に湾曲した股側シート部（４）で連続させた略砂時計形状の展開おむつ素材を作った。このとき腹側シート部（２）の横寸法（Ｌ）は約１６cmとした。
【００１１】
そして該おむつ素材を股側シート部（４）で液透過性シート面を内側にして屈曲させ、腹側シート部（２）の側縁（５）（５´)とそれぞれ対向する背側シート部（３）の側縁（６）（６´)とを熱融着手段により固着して、図２に示すように腹側にシールライン（７）（７´)を設け、上端に胴部開口（８）と左右に腿部開口（９）（10）を形成した完全パンツ型おむつを作った。
このような完全パンツ型おむつはシールライン（７）（７´)間の長さが約１６cmであるので、着用したときに大人の腹側の左右にある固い腸骨の内側に位置することになって着用者に不快感を与えない。
【００１２】
【発明の効果】
このように本発明によれば、完全パンツ型おむつを作る際に必然的に形成されるシールラインが腹側にあるので、自ら寝返りをうてない着用者にとって、体をどのような向きにされても固いシールラインが肌を圧迫することがなく、床ずれや蓐瘡などの原因が減少して快適に過ごせる。またシールラインに沿って手で破断しておむつを外す際にも、背側シート部が広いので排泄物が該シールラインまで達することがより少く、しかも排泄物を素早く包み込むことができるので衛生的な処理ができる。また着用する際に前後を間違えることがより少く、破断の際にもシールラインが常に上面にあるので作業が容易である、等の効果を有する。
【図面の簡単な説明】
【図１】本発明の一実施例を示す展開平面図である。
【図２】同じく組み付け斜視図である。
【図３】従来例を示す組み付け斜視図である。
【図４】同じく展開平面図である。
【符号の説明】
１  吸収体
２  腹側シート部
３  背側シート部
４  股側シート部
５，５´ 腹側シート部の側縁
６，６´ 背側シート部の側縁
７，７´ シールライン
８  胴部開口
９，１０  腿部開口
【図１】
0003934203.tif 000002
【図２】
0003934203.tif 000003
【図３】
0003934203.tif 000004
【図４】
0003934203.tif 000005